(57)【要約】      （修正有）【課題】ラップフィルム収納箱のつまみ片におけるラップフィルムのつまみ易さを向上する。【解決手段】ラップフィルム収納箱は、ラップフィルムＦのフィルム巻回体Ｒを収納する上面が開口した収納部と、上面開口を開閉する蓋部を有している。収納部の前板１４には、当該前板１４の上端縁から前板１４の裏面に向けて折り返される折返し片１８が延設されている。前板１４には、その長手方向に沿って上下に凹凸のある切り込み線が形成されている。この切り込み線により前板１４は切り込み上部３１と切り込み下部に区画されている。切り込み上部３１は、つまみ片となり、切り込み下部３２は、上に凸の形状を有する凸部分５０を有し、当該凸部分５０が接着剤Ａによって折返し片１８に接着されている。【選択図】図４
2015034046.tif 000002
【特許請求の範囲】
【請求項１】
ラップフィルムのフィルム巻回体を収納する上面が開口した収納部と、前記上面開口を開閉する蓋部とを有するラップフィルム収納箱であって、
前記収納部のラップフィルムが引き出される方向にある前板には、当該前板の上端縁から前記前板の裏面に向けて折り返される折返し片が延設され、
前記前板には、その長手方向に沿って上下に凹凸のある切り込み線が形成され、当該切り込み線により前記前板は切り込み上部と切り込み下部に区画され、
前記切り込み上部は、つまみ片となり、
前記切り込み下部は、上に凸の形状を有する凸部分を有し、当該凸部分が前記折返し片に接着されている、ラップフィルム収納箱。
【請求項２】
前記凸部分が複数ある場合に、少なくとも前記前板の長手方向の中央に最も近い凸部分が、前記折返し片に接着されている、請求項１に記載のラップフィルム収納箱。
【請求項３】
前記前板には、ラップフィルムを仮留めする仮留め部が設けられ、
前記前板の切り込み下部の前記凸部分に対応するつまみ片の凹部分には、前記仮留め部を設けない、請求項１又は２に記載のラップフィルム収納箱。
【請求項４】
前記つまみ片の表面には、凸部が形成されている、請求項１〜３のいずれかに記載のラップフィルム収納箱。
【請求項５】
前記切り込み下部の前記凸部分の中央部分が、接着剤により前記折り返し片が接着されている、請求項１〜４のいずれかに記載のラップフィルム収納箱。
【発明の詳細な説明】
【技術分野】
【０００１】
本発明は、特に食品包装用のラップフィルム、アルミホイル、クッキングシート等（以下、「ラップフィルム」と称す）を巻回したフィルム巻回体を収容するラップフィルム収納箱に関する。
【背景技術】
【０００２】
ラップフィルムは、紙製の芯体に巻回されてフィルム巻回体を構成し、当該フィルム巻回体が、紙製の直方体のラップフィルム収納箱に収納されている。このラップフィルム収納箱は、上面が開口した収納部と、当該上面開口を開閉する蓋部とを有し、ラップフィルムを使用する時には、収納部内のフィルム巻回体からラップフィルムを引き出し、所定長さで切り取る。
【０００３】
ところで、次に使用する際にラップフィルムをつまみ易くするため、収納部の前板には、長手方向に向かう切り込み線が形成され、それによって、前方に浮き上がるつまみ片が形成されている（特許文献１参照）。また、つまみ片の浮き上がりを確保するため、前板には、前板の上端縁から前板の裏面に向けて折り返される折返し片が延設されている。
【先行技術文献】
【特許文献】
【０００４】
【特許文献１】特許第４４０８１３９号公報
【発明の概要】
【発明が解決しようとする課題】
【０００５】
しかしながら、上記折返し片によってつまみ片の浮き上がりを確保しても、前板におけるつまみ片を構成しない、切り込み線より下の部分が浮き上がると、つまみ片の浮き上がりによってできるつまみ片の裏面側の隙間が小さくなる。この場合、指を入れる隙間が小さくなるので、フィルムのつまみ易さが十分に確保できなくなる。
【０００６】
本発明はかかる点に鑑みてなされたものであり、ラップフィルム収納箱のつまみ片におけるラップフィルムのつまみ易さを向上することをその目的とする。
【課題を解決するための手段】
【０００７】
本発明者は、鋭意研究を重ねた結果、前板の切り込み下部の凸部分を折返し片に接着することで上記課題が解決されることを見出し、本発明をなすに至った。すなわち、本発明は下記（１）〜（５）を提供する。
（１）ラップフィルムのフィルム巻回体を収納する上面が開口した収納部と、前記上面開口を開閉する蓋部とを有するラップフィルム収納箱であって、
前記収納部のラップフィルムが引き出される方向にある前板には、当該前板の上端縁から前記前板の裏面に向けて折り返される折返し片が延設され、前記前板には、その長手方向に沿って上下に凹凸のある切り込み線が形成され、当該切り込み線により前記前板は切り込み上部と切り込み下部に区画され、前記切り込み上部は、つまみ片となり、前記切り込み下部は、上に凸の形状を有する凸部分を有し、当該凸部分が前記折返し片に接着されている、ラップフィルム収納箱。
（２）前記凸部分が複数ある場合に、少なくとも前記前板の長手方向の中央に最も近い凸部分が、前記折返し片に接着されている、（１）に記載のラップフィルム収納箱。
（３）前記前板には、ラップフィルムを仮留めする仮留め部が設けられ、前記前板の切り込み下部の前記凸部分に対応するつまみ片の凹部分には、前記仮留め部を設けない、請求項１又は２に記載のラップフィルム収納箱。
（４）前記つまみ片の表面には、凸部が形成されている、（１）〜（３）のいずれかに記載のラップフィルム収納箱。
（５）前記切り込み下部の前記凸部分の中央部分が、接着剤により前記折り返し片が接着されている、（１）〜（４）のいずれかに記載のラップフィルム収納箱。
【発明の効果】
【０００８】
本発明によれば、ラップフィルム収納箱のつまみ片におけるラップフィルムのつまみ易さを向上できる。
【図面の簡単な説明】
【０００９】
【図１】本発明のラップフィルム収納箱の概略を示す斜視図である。
【図２】ラップフィルム収納箱の展開図である。
【図３】蓋部を開放したラップフィルム収納箱の斜視図である。
【図４】収納部の横から見た断面図である。
【図５】折返し片に接着する凸部分の例を示し前板の正面図である。
【図６】開封片を切り取る様子を示すラップフィルム収納箱の斜視図である。
【図７】折返し片に接着する凸部分の他の例を示す前板の正面図である。
【図８】仮留め部の他の例を示す前板の正面図である。
【図９】つまみ片の他の例を示す前板の正面図である。
【図１０】つまみ片の他の例を示す前板の正面図である。
【図１１】凸部のあるつまみ片を示す収納部の断面図である。
【発明を実施するための形態】
【００１０】
本発明について、以下具体的に説明する。なお、以下の実施の形態は、本発明を説明するための例示であり、本発明はその実施の形態のみに限定されるものではない。同一の要素には同一の符号を付し、重複する説明は省略する。また、図面中、上下左右等の位置関係は、特に断らない限り、図面に示す位置関係に基づくものとする。さらに、図面の寸法比率は、図示の比率に限定されるものではない。
【００１１】
図１はラップフィルム収納箱１の概略を示す斜視図であり、図２は図１のラップフィルム収納箱１の表面側の展開図である。図３は蓋部を開けた状態のラップフィルム収納箱１の斜視図である。
【００１２】
図１及び図２に示すようにラップフィルム収納箱１は、全体が直方体形状を有し、例えば掩蓋片１０、蓋板１１、脇掩蓋片１２等からなる蓋部１３と、前板１４、底板１５、後板１６、脇板１７、折返し片１８等からなる収納部１９と、開封片２０とを有している。
【００１３】
図３に示すように収納部１９は、上面開口１９ａを有する直方体状に形成され、例えば透明のラップフィルムＦが円筒状の芯体に巻かれたフィルム巻回体Ｒを上面開口部１９ａから収納できる。
【００１４】
図４に示すように折返し片１８は、前板１４の上端縁から延設され、前板１４の裏面を覆うように前板１４の裏面（内面）側に折り返されている。
【００１５】
図３及び図５に示すように前板１４の上下方向の中央付近には、長手方向（図５の左右方向）の両端部間に亘って切り込み線３０が形成されている。切り込み線３０は、上下に凹凸のある例えば波形状に形成され、例えば中央部に上に凸、その両側に下に凸、その両側に上に凸の曲線状に形成されている。この切り込み線３０により、前板１４は切り込み上部３１と切り込み下部３２に区画されている。切り込み上部３１は、前板１４の前方に浮き上がるつまみ片３１を構成している。
【００１６】
つまみ片３１の山の高さは、つまり切り込み線３０の上下の凹凸幅は、特に限定されないが、５ｍｍ以上あると、つまみ易さが得られるため好ましく、１０ｍｍ以上の高さがあるとより好ましい。更には、つまみ片３１の山と山の間隔は、山の頂点を結ぶ最短距離が、好ましくは３〜１５ｃｍの範囲である。このような範囲であれば、ラップフィルムＦをつまむ際に、種々のつまみ方によらず、つまみ易さを得られるため好ましい。
【００１７】
つまみ片３１の表面には、ラップフィルムＦを仮留めする仮留め部４０が形成されている。仮留め部４０は、例えばＵＶ硬化のニスにより形成され、粘着性を有している。仮留め部４０は、例えばラップフィルム収納箱１の長手方向の両端部間に亘り、当該長手方向に沿って連続的に形成されている。
【００１８】
切り込み下部３２は、上記波形状の切り込み線３０より、上に凸に湾曲した複数の凸部分５０を有している。図４及び図５に示すように切り込み下部３２の長手方向の中央の凸部分５０の裏面には、接着剤Ａが塗られ、当該接着剤Ａにより凸部分５０が折返し片１８に接着されている。接着剤Ａは、凸部分５０の裏面の中央領域にのみ塗布されている。このように、折返し片１８が前板１４の裏面側に折れて凸部分５０に固定されることにより、つまみ片３１に生じる反作用が大きくなり、つまみ片３１がより大きく浮き上がる。これにより、つまみ片３１上に載ったラップフィルムＦがつまみ易くなる。
【００１９】
図１に示すように蓋部１３の蓋板１１は、後板１６の上端縁から前方に延びて収納部１９の上面開口１９ａを覆っている。掩蓋片１０は、蓋板１１の前端縁から前板１４側に延びて前板１４の前面を覆っている。
【００２０】
なお、ラップフィルム収納箱１を構成する原紙としては、例えば、ボール紙、コートボール紙、段ボール等が挙げられるが、これらに限定されず、当業界で公知の紙類を適宜選択して用いることができる。原紙は、これらの素材に、エンボス加工、印刷加工、ポリエチレン等を用いたラミネート加工が施されたものであっても構わない。
【００２１】
開封片２０は、収納部１９の前板１４の前面下部に位置し、ラップフィルム収納箱１の長手方向に沿って帯状に形成されている。開封片２０は、掩蓋片１０の先端縁に切り取り線２１を介して接続されている。開封前、開封片２０の裏面側は、図２に示す前板１４の切り込み下部３２の複数の接着部２２に接着している。この開封片２０によって蓋部１３が封止されており、図６に示すように開封片２０を切り取り線２１に沿って切り取ることによって蓋部１３を開封することができる。
【００２２】
掩蓋片１０の先端部の裏側には、図３及び図６に示すように収納部１９のフィルム巻回体Ｒから引き出されたラップフィルムＦを切断する切断部としての鋸刃６０が設けられている。鋸刃６０は、ラップフィルム収納箱１（掩蓋片１０）の長手方向の両側端に亘って形成されている。鋸刃６０は、開封片２０を切り取った時に、掩蓋片１０の先端縁から下方に突出する位置に形成されている。なお、この鋸刃６０などの切断部の材質は、金属、プラスチック、バルカナイズドファイバー等であり、切断部の形状は、直線状、Ｖ状、アーチ状等従来公知のものであれば特に制限はない。
【００２３】
切断後に残ったラップフィルムＦは、前板１４の浮き上がったつまみ片３１の仮留め部４０に粘着し仮留めされる。そして、ラップフィルムＦの次の使用時には、つまみ片３１上のラップフィルムＦの中央部をつまみ、ラップフィルムＦを仮留め部４０から剥がし、所望長さ引き延ばし、蓋部１３を閉めた状態で鋸刃３０によりラップフィルムＦを切断する。
【００２４】
本実施の形態によれば、前板１４の切り込み下部３２の凸部分５０を折返し片１８に接着するので、切り込み下部３２の浮き上がりが防止され、つまみ片３１の裏面側の指を入れる隙間を十分に確保でき、ラップフィルムＦをつまみ易くなる。また、凸部分５０で折返し片１８が固定されるため、凸部分５０に対応する部分のつまみ片３１の浮き上がりが大きくなる。この凸部分５０に対応する部分は、つまみ片３１における凹部分であり、ユーザがラップフィルムＦをつまみ易い部分であり、またつまみが誘導される部分となる。よって、ユーザがつまむ部分或いはつまむ可能性の高い部分のつまみ片３１の浮き上がりを大きくすることができる。さらに、長手方向に長い折返し片１８を前板裏面の全体で接着しないので、収納箱の歪みを低減できる。これにより、蓋部１３の開閉や、収納部１９へのフィルム巻回体Ｒの出し入れ、箱の積み重ねなどを好適に行うことができる。また、接着剤Ａの塗布工程が簡単で加工性がよく、接着剤Ａの消費量が少なく経済的である。
【００２５】
ユーザは、ラップフィルムＦの中央をつかむ傾向があるので、切り込み下部３２の中央に最も近い凸部分５０を折返し片１８に接着しその部分に対応する中央部分のつまみ片３１をつまみ易くするメリットは大きい。
【００２６】
凸部分５０の中央部分に接着剤Ａを塗布したので、凸部分５０からの接着剤Ａのはみ出しを防止できる。
【００２７】
上記実施の形態のように凸部分５０が複数ある場合に、図７に示すように中央に最も近い凸部分以外の凸部分５０も接着剤Ａによって折返し片１８に接着してもよい。
【００２８】
また、図８に示すように前板１４の凸部分５０に対応するつまみ片３１の凹部分には、仮留め部４０を設けないようにしてもよい。鋸刃６０で切断されたフィルム先端には、切れ目や裂け目ができやすく、かかる部分が仮留め部４０に仮留めされた状態でユーザにつままれると、そこからラップフィルムＦが裂ける可能性がある。よって、ユーザがつまみ易い凸部分５０に対応するつまみ片３１の凹部分に、仮留め部４０を設けないことにより、ラップフィルムの裂けを抑制できる。
【００２９】
以上の実施の形態では、切り込み線３０が、下に凸の２つの山を有する波形状であったが、下に凸の山が１つ或いは３つ以上であってもよい。また、切り込み線３０は、長手方向に沿って上下に凹凸がある形状であれば他の形状であってもよい。例えば図９に示すように三角状に凹凸が形成されていてもよい。また、折返し片１８に接着される凸部分５０は、前板１４の長手方向の中央である必要はなく、中央に近い凸部分５０が折返し片１８に接着されていればよい。また、中央に近くない凸部分５０が折返し片１８に接着されていてもよい。このように、折返し片１８に接着される凸部分５０の数、位置、形状は任意に選択できる。
【００３０】
また、切り込み線３０は、前板１４の両端部間に亘り形成されている必要はなく、図１０に示すように前板１４の両端部に至らない途中まで形成され、切り込み線３０の両端が前板１４の上端縁に達していてもよい。かかる場合、前板１４の切り込み上部であるつまみ片３１は、切り込み線３０で囲まれた部分であり、前板１４の切り込み下部３２は、前板１４のつまみ片３１以外の部分となる。
【００３１】
以上の実施の形態において、切り込み下部３２の凸部分５０を折返し片１８に接着剤Ａにより貼り付けていたが、これに限定されるものではなく、例えばコールドグルーやホットメルトのような糊、あるいは両面テープ等を用いてよい。例えばガン式のホットメルト等は、部分的な貼り付けの精度が上がっているため、これらを用いることで本発明のようなラップフィルム収納箱を精度良く作ることができる。
【００３２】
さらに、以上の実施の形態において、図１１に示すようにつまみ片３１の表面に凸部７０を設けてもよい。凸部７０は、エンボスを形成するプレス加工により形成されてもよく、例えば切り込み線３０から３ｍｍ以内の位置が好ましい。凸部７０は、つまみ片３１の長手方向の中央付近に付与することが好ましい。かかる場合、使用時に、つまみ片３１によりラップフィルムＦがより高く持ち上がり、つまみ易さを向上できる。この凸部７０の形成方法は、特に限定するものではないが、例えばつまみ片３１を前板１４から切り出す打抜き加工の際に用いられる木型あるいは金型の受け側に突起を設ける等により作ることができる。
【００３３】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【実施例】
【００３４】
[実施例１]
図２に示したフィルム用収納箱の展開図において、高さ約４４ｍｍ、奥行き約４４ｍｍ、長さ約３１５ｍｍの寸法となる収納箱であり、前板１４の長さが３１０ｍｍ、掩蓋片１０の高さ約３０ｍｍの裏面先端部のほぼ全域に亘って高さ約８ｍｍのブリキ製切断刃６０を設置し、その先端部約２ｍｍを開封片２０側へ突出させた設計のカートンブランクを坪量４５０ｇ／ｍ2のコートボール紙で作成した。また、つまみ片３１の中央部には、高さ１０ｍｍ、長さ５０ｍｍの範囲に、ポリ塩化ビニリデン製ラップフィルムを貼り付けた後のＪＩＳ Ｚ ０２３７に準拠した垂直剥離力が約５０ｃＮ／５０ｍｍであるＵＶ架橋硬化性アクリル系エステル樹脂を塗布してフィルム仮留め部材４０とした。このカートンブランクの各面を折り曲げて直方体状の収納箱とし、前記前板１４の切り込み下部の前記凸部分５０のうち、長手方向の中央に最も近い凸部分を前記折返し片１８に接着させた。２４時間放置後に開封片２０を除去して、以下に記す基準で、切り込み下部の長手方向の中央に最も近い凸部分５０の中央部分と前板１４との垂直方向距離（Ｌ１）を測定し、同様にして対応するつまみ片３１の凹部分の中央部分、或いは図１１に示すつまみ片３１に形成された凸部（凸部エンボス）７０に接着するラップフィルムＦと、前板１４との垂直方向距離（Ｌ２）を測定した。そして、Ｌ１とＬ２の差（Ｌ１−Ｌ２）を求め、つまみ片３１の浮き上がり性（中央部）を評価した。
【００３５】
[実施例２〜４]
前板１４の凸部分５０のうち、長手方向の中央に最も近い凸部分を折返し片１８に接着させるとともに、長手方向の両端に近い凸部分も折返し片１８に接着させたこと、凸部エンボス７０の有無を下記の表１に示したように変更した以外は実施例１と同様にして収納箱を作成し、評価した。
【００３６】
[比較例１、２]
比較例１と２は、前板１４の凸部分５０のうち、長手方向の中央に最も近い凸部分を折返し片１８へ接着させず、表２に示すように凸部エンボス７０を設けたものと、設けなかったものである。これらの収納箱を組み立て、実施例１と同様に評価した。
【００３７】
[評価基準と結果]
以下に示す評価結果と合否（○：合格、×：不合格）は表３に示した。各実施例と比較例で示した設計の収納箱を１０箱ずつ組み立て、各つまみ片３１の中央凹部の前板１４に対する垂直距離Ｌ１を測定した。また、前記つまみ片３１の中央凹部分、或いは、凸部エンボス７０と前板１４との間の垂直方向距離Ｌ２を測定した。ラップフィルムＦを指先でつまみ上げる時の操作性と、ラップフィルムＦを底板２側に引き出した時の引き出し抵抗の観点から、Ｌ１とＬ２の差が１．７５ｍｍ以上を合格とした。各収納箱での測定値の平均値を表３に示した（少数点以下は四捨五入）。
【００３８】
各実施例は合格であるが、比較例１、２は浮き上がり性向上が見られなかったので不合格である。尚、実施例１、３、比較例１と実施例２、４、比較例２との比較より、前記つまみ片３１の中央凸部５０に対応する凹部分の中央部分、或いは、凸部エンボス７０と前板１４との間の垂直方向距離は、凸部エンボス７０を設置した方が大きくなる傾向が読み取れる。
【００３９】
【表１】
2015034046.tif 000003
【００４０】
【表２】
2015034046.tif 000004
【００４１】
【表３】
2015034046.tif 000005
【産業上の利用可能性】
【００４２】
本発明は、ラップフィルム収納箱のつまみ片におけるラップフィルムのつまみ易さを向上する際に有用である。
【符号の説明】
【００４３】
１  ラップフィルム収納箱
１０  掩蓋片
１１  蓋板
１３  蓋部
１４  前板
１８  折返し片
１９  収納部
１９ａ  上面開口
２０  開封片
３０  切り込み線
３１  切り込み上部、つまみ片
３２  切り込み下部
４０  仮留め部
５０  凸部分
６０  鋸刃
Ａ  接着剤
Ｒ  フィルム巻回体
Ｆ  ラップフィルム
【図１】
2015034046.tif 000006
【図２】
2015034046.tif 000007
【図３】
2015034046.tif 000008
【図４】
2015034046.tif 000009
【図５】
2015034046.tif 000010
【図６】
2015034046.tif 000011
【図７】
2015034046.tif 000012
【図８】
2015034046.tif 000013
【図９】
2015034046.tif 000014
【図１０】
2015034046.tif 000015
【図１１】
2015034046.tif 000016